(57)【要約】      （修正有）【課題】山型テントのようなワンポールテントのみならず、タープテントなどの様々なテントにも使用できる二又化パーツを提供する。【解決手段】テント用ポールの二又化パーツは、テントに当接する球状の先端部２０と、先端部２０から垂下する支持部と、テント用ポールを差し込むために支持部に開閉自在に取り付けられた一対の差込部と、を備える。そして、先端部２０に形成されたネジ穴２１へピン体５０を螺合して、先端部２０から上方へ突起するピン体５０を着脱自在に設ける。【選択図】図２
0003231864.tif 000002
【実用新案登録請求の範囲】
【請求項１】
テントの設営に使用するポールを二又化するために使用されるテント用ポールの二又化パーツであって、
テントに当接する先端部と、先端部から垂下する支持部と、ポールを差し込むために支持部に開閉自在に取り付けられた一対の差込部と、を備え、
先端部に上方へ突起するピン体を着脱自在に設けたことを特徴とするテント用ポールの二又化パーツ。
【請求項２】
ピン体の全体又は一部にローレット加工を施したことを特徴とする請求項１記載のテント用ポールの二又化パーツ。
【請求項３】
支持部の下部に穿孔を設けたことを特徴とする請求項１又は２記載のテント用ポールの二又化パーツ。
【考案の詳細な説明】
【技術分野】
【０００１】
本願考案は、テントの設営に使用するポール（支柱）に関するものである。
【背景技術】
【０００２】
図７に図示するように、特許文献１には、従来、山型テントを支えるポール（支柱）が１本であったものを、２本のポールで支えられるようにする二又化パーツが開示されている。
【０００３】
２本のポールにすることで、山型テントの中心にポールが無くなるので、山型テント内のスペースを広く利用できるというメリットがある。
【先行技術文献】
【特許文献】
【０００４】
【特許文献１】意匠登録第１６４７６０５号公報
【考案の概要】
【考案が解決しようとする課題】
【０００５】
しかし、テントには特許文献１で開示された山型テント以外にも様々なテントがある。
本願考案者は、山型テントのようなワンポールテントのみならず、タープテントなどの様々なテントにも使用できる二又化パーツの提供を目的として、本願考案を完成するに至った。
【課題を解決するための手段】
【０００６】
本願考案の第１の考案は、テントの設営に使用するポールを二又化するために使用されるテント用ポールの二又化パーツであって、テントに当接する先端部と、先端部から垂下する支持部と、ポールを差し込むために支持部に開閉自在に取り付けられた一対の差込部と、を備え、先端部に上方へ突起するピン体を着脱自在に設けたことを特徴とするものである。
本願考案の第２の考案は、ピン体の全体又は一部にローレット加工を施したことを特徴とする同テント用ポールの二又化パーツである。
本願考案の第３の考案は、支持部の下部に穿孔を設けたことを特徴とする同テント用ポールの二又化パーツである。
【考案の効果】
【０００７】
本願考案に係る「テント用ポールの二又化パーツ」によれば、以下の効果を有する。
（１）先端部に上方へ突起するピン体を着脱自在に設けたことで、ワンポールテントなどに使用する場合は、ピン体を先端部から外して先端部がテントに当接するようにして使用できる。また、タープテントなどに使用する場合は、ピン体を先端部に装着してテントに設けられた穿孔にこのピン体を挿通して使用できる。
（２）ピン体の全体又は一部にローレット加工を施したことで、ピン体が滑ることを防止できる（例えば、先端部への着脱時やロープでの結束時など）。
（３）支持部の下部に穿孔を設けたことで、カラビナやフックなどを用いてキャンプ用品（ランタン等）などを掛けることができる。
【図面の簡単な説明】
【０００８】
【図１】本願考案に係る「テント用ポールの二又化パーツ」を説明する説明図（１）。
【図２】本願考案に係る「テント用ポールの二又化パーツ」を説明する説明図（２）。
【図３】本願考案に係る「テント用ポールの二又化パーツ」を説明する説明図（３）。
【図４】本願考案に係る「テント用ポールの二又化パーツ」を説明する説明図（４）。
【図５】本願考案に係る「テント用ポールの二又化パーツ」を説明する説明図（５）。
【図６】本願考案に係る「テント用ポールの二又化パーツ」を説明する説明図（６）。
【図７】従来技術（特許文献１）を説明する説明図。
【考案を実施するための形態】
【０００９】
本願考案に係る「テント用ポールの二又化パーツ」を図１〜図６に基づいて説明する。
まず、図１に図示するように、テント用ポールの二又化パーツ（以下「二又化パーツ」ともいう）１０は、テントに当接する球状の先端部２０と、先端部２０から垂下する支持部３０と、テント用ポール（以下「ポール」ともいう）を差し込むために支持部３０に開閉自在に取り付けられた一対の差込部４０，４０と、を備える。
【００１０】
そして、図２に図示するように、先端部２０に形成されたネジ穴２１へピン体５０を螺合して、先端部２０から上方へ突起するピン体５０を着脱自在に設ける。
なお、ピン体５０には、その一部にローレット加工５１を施している。ローレット加工５１があることで、ピン体５０の着脱時に指が滑るのを防止できて、作業性が向上する。
【００１１】
また、図３は、差込部４０，４０を閉じた状態を図示したものである。図示のように、差込部４０，４０は支持部３０側へ閉じることができるので、二又化パーツ１０の使用時以外は、コンパクトであって、保管や持ち運びが容易である。
【００１２】
次に、図４は、差込部４０にポール６０を差し込んでいる状態を図示したものであり、図５は、差込部４０にポール６０を差し込み、ポール６０，６０を二又化（略逆Ｖ字形）した状態を図示したものである。
二又化パーツ１０の広げる角度（最大９０度）やポール６０の長さを調整することで、様々なテントに対応できる。また、支持部３０の下部に設けられた穿孔３１に、カラビナやフックなどを用いてキャンプ用品（ランタン等）などを掛けることができる。
【００１３】
最後に、図６は、二又化パーツ１０をタープテント７０に使用した状態を図示したものである。
二又化パーツ１０の先端部２０に装着したピン体５０を、タープテント７０に設けられた穿孔７１へ挿通して使用する。このように、二又化パーツ１０は、先端部２０にピン体５０を装着できるので、ワンポールテント以外にも、タープテントなどの他のテントにも使用できる。なお、テントにピン体５０を挿通する穿孔が無くても、テントに設けられている紐やロープ等を用いてピン体５０と結束することができるので、テントに穿孔の有無は問わない。
【産業上の利用可能性】
【００１４】
本願考案に係る「テント用ポールの二又化パーツ」は、テントの種類を問わず、様々なテントに簡便に利用できるテント用ポールの二又化パーツである。
【符号の説明】
【００１５】
１０  テント用ポールの二又化パーツ（二又化パーツ）
２０  先端部
２１  ネジ穴
３０  支持部
３１  穿孔
４０  差込部
５０  ピン体
５１  ローレット加工
６０  テント用ポール（ポール）
７０  タープテント
７１  穿孔
【図１】
0003231864.tif 000003
【図２】
0003231864.tif 000004
【図３】
0003231864.tif 000005
【図４】
0003231864.tif 000006
【図５】
0003231864.tif 000007
【図６】
0003231864.tif 000008
【図７】
0003231864.tif 000009